(57)【要約】【課題】側部ケース取付部分を厚み方向にコンパクトとした電気式ヒータを提供すること。【解決手段】放熱フィン３２、通電により発熱する発熱素子、該発熱素子に電力を印加する電極板３１を積層して構成した発熱体３を有し、該発熱体３の積層方向両端面と該両端面と交差する両側面とによって張られた面から他方の面に向かって被加熱媒体が放熱フィン３２の近傍を通過する。発熱体３の外周に枠状フレームを設け、枠状フレームの両側面の外方にそれぞれ側部ケース２３、２４を設け、枠状フレームと対向する各側部ケース２３、２４の内側対向面２３０、２４８は、枠状フレームに向かって突出し、枠状フレームと係合する係合片２３５、２４５を有し、各側部ケース２３、２４の係合片２３５、２４５はそれぞれ枠状フレームの側面から、該枠状フレームの内部に導入され、内部において枠状フレームに係合する。【選択図】図１
2005085698.tif 000002
【特許請求の範囲】
【請求項１】
放熱フィン、通電により発熱する発熱素子、該発熱素子に電力を印加する電極板を積層して構成した発熱体を有し、該発熱体の積層方向両端面と該両端面と交差する両側面とによって張られた一方の面から他方の面に向かって被加熱媒体が上記放熱フィンの近傍を通過する電気式ヒータであって、
上記発熱体の外周に枠状フレームを設け、
上記枠状フレームの両側面の外方にそれぞれ側部ケースを設け、
上記枠状フレームと対向する各側部ケースの内側対向面は、上記枠状フレームに向かって突出し、上記枠状フレームと係合する係合片を有し、
各側部ケースの係合片はそれぞれ上記枠状フレームの側面から、該枠状フレームの内部に導入され、内部において枠状フレームに係合することを特徴とする電気式ヒータ。
【請求項２】
請求項１において、上記枠状フレームは、上記発熱体の積層方向両端面に設けた第１及び第２保持フレームと、上記発熱体の両側面にそれぞれ設けた側部フレームとからなり、
各側部ケースは、上記側部フレームの側面外方から側部フレームごと上記発熱体の側面外方を覆うように設けてあると共に、上記第１及び第２保持フレームに係合することを特徴とする電気式ヒータ。
【請求項３】
請求項２において、上記電気式ヒータにおいて、被加熱媒体の通過方向に沿った長さを厚みとすると、上記側部ケースの厚みｄ１は、該第１及び第２保持フレームの厚みｄ２と比較すると、ｄ１≦ｄ２であることを特徴とする電気式ヒータ。
【請求項４】
請求項２または３において、上記第１及び第２保持フレームは、両側面に開口部を設けた筒型部材からなると共に、上記係合片と係合可能で、上記発熱体の両端面と両側面とによって張られた面に開口する係合穴を有し、
上記開口部に上記側部ケースの係合片を挿入して、上記第１及び第２保持フレームの内側面から上記係合片を上記係合穴に係合することを特徴とする電気式ヒータ。
【発明の詳細な説明】
【技術分野】
【０００１】
本発明は、正特性のサーミスタ等を発熱素子として採用する電気式ヒータに関する。
【背景技術】
【０００２】
図１６〜図１９に示すごとく、略平行に配置された一対の第１、第２保持フレーム９１、９２と、該第１、第２保持フレーム９１、９２と直交し、かつ第１、第２保持フレーム９１、９２の両端にそれぞれ配置した側部フレーム９５とによって保持され、第１、第２９１、９２及び側部フレーム９５によって形成された平面内に発熱体３を配置した電気式ヒータ９が知られている。
【０００３】
上記発熱体３は、相互に略平行に放熱フィン３２、発熱要素、該発熱要素に電力を印加する電極板３１を積層してなる。第１、第２保持フレーム９１、９２は発熱体３の積層方向と略直行し、側部フレーム９５は積層方向と略平行する。
図１７、図１８に示すごとく、第１保持フレーム９１は、２つの筒型部材９０１、９０２を重ねて構成してなり、内側の筒型部材９０２は発熱体３側の面に切り込みを設けて、切り込み片を構成し、該切り込み片を起こすことでバネ材を構成する。また、図示はしないが第２保持フレーム９２も同様の構成を有する。
【０００４】
図１７、図１９に示すごとく、外側の筒型部材９０１の側端部９１１にＬ字型の切り欠きを設け、側部フレーム９５の端部内側面９５１を上記Ｌ字型の切り欠きに嵌合する逆Ｌ字型の突出部９５１を設け、これらを嵌合することで、第１及び第２保持フレーム９１、９２に側部フレーム９５を固定する。
この固定は、発熱体３の積層方向から力を加えて、第１及び第２保持フレーム９１、９２と発熱体３との間に存在するバネ材９０３を圧縮しつつ、上記側部フレーム９５の逆Ｌ字型の突出部９５１を、第１及び第２保持フレーム９１、９２の側端部９１１に引っ掛けることにより実現する。
なお、図１６における図面左方の側部フレームはケース９４により隠れているため図示や符号を省略した。
【０００５】
そして、発熱体３の保護や電極板３１の取り出し、絶縁等のために、側部フレーム９５の側面外方から側部ケース９３、９４を被せて配置する。なお、側部ケース９４の更に外方には別のケース９４５を被せて配置する。
上述した構成は、電気式ヒータ以外に引用文献１に示されるようなラジエータ等の分野においても知られた構成である。
【０００６】
【特許文献１】特許第３２７４２３４号公報
【発明の開示】
【発明が解決しようとする課題】
【０００７】
ところで、最近はコンパクトな電気式ヒータに対する大きな需要がある。この需要は特に車載用の電気式ヒータ等の分野において顕著である。
しかしながら、上述した図１６〜図１９にかかる従来構成では側部ケース９３、９４を単に側部フレーム９５の外方から被せてあり、そのため、側部ケース９３、９４が、第１、第２保持フレーム９１、９２、側部フレーム９５の表面から、厚み方向に飛び出すことになる。
電気式ヒータを車両のエアコンダクトに取付ける場合を考える。エアコンダクトは曲面で構成されているため、電気式ヒータを送入する開口部の取付スペースの制約が多い。そのため、特に側部ケースの取付部分の近傍は厚み方向にコンパクトで、発熱体の表面から飛び出す部分が小さい、あるいはないほうが望ましい。
もちろん側部ケース９３、９４の肉厚を薄くすれば飛び出す部分も小さくすることはできるだろうが、側部ケース９３、９４の機械的強度の低下や製造しやすさ、取り付けやすさを考慮すると、薄手のケースを用いることは好ましい選択ではない。
【０００８】
本発明は、かかる従来の問題点に鑑みてなされたもので、側部ケース取付部分を厚み方向にコンパクトとした電気式ヒータを提供しようとするものである。
【課題を解決するための手段】
【０００９】
本発明は、放熱フィン、通電により発熱する発熱素子、該発熱素子に電力を印加する電極板を積層して構成した発熱体を有し、該発熱体の積層方向両端面と該両端面と交差する両側面とによって張られた一方の面から他方の面に向かって被加熱媒体が上記放熱フィンの近傍を通過する電気式ヒータであって、
上記発熱体の外周に枠状フレームを設け、
上記枠状フレームの両側面の外方にそれぞれ側部ケースを設け、
上記枠状フレームと対向する各側部ケースの内側対向面は、上記枠状フレームに向かって突出し、上記枠状フレームと係合する係合片を有し、
各側部ケースの係合片はそれぞれ上記枠状フレームの側面から、該枠状フレームの内部に導入され、内部において枠状フレームに係合することを特徴とする電気式ヒータにある（請求項１）。
【００１０】
本発明にかかる電気式ヒータは、発熱体の外周に設けた枠状フレームの側面外方から側部ケースを設け、該側部ケースに設けた係合片を用いて、枠状フレームに対し係合する。この時、枠状フレームの外表面からケースを被せて、外表面において係合を行うのではなく（従来技術で記載した図１６参照）、後述する図１、図２に示すごとく、枠状フレームの内部に係合片を導入し、枠状フレームの内部で係合を行うものである。
【００１１】
従来技術として記載した図１６に示すごとく、側部ケースの内側に枠状フレームを収納するよう被せた構成の電気式ヒータは、側部ケースが枠状フレームの表面等から外方に飛び出し、この飛び出した分だけ、側部ケースの取付位置近傍における厚みが増大する。
なお、ここでいう厚みとは、発熱体の積層方向両端面と該両端面と交差する両側面とによって張られた一方の面から他方の面に向かって被加熱媒体が上記放熱フィンの近傍を通過する際の方向に沿った長さである。
【００１２】
従来技術と対照的に、本発明にかかる電気式ヒータは、例えば後述する図１、図２に示すごとく、側部ケースに設けた係合片を枠状フレームの内部に導入し、側部ケースは内部で枠状フレームと係合する。
そのため、枠状フレームの表面から飛び出したり、出っ張ったりすることがないよう側部ケースを取付ることが可能となり、従来構成より側部ケースの取付位置近傍で厚み方向にコンパクトな電気式ヒータを得ることができ、これにより、電気式ヒータを挿入するエアコンダクトの開口部の取付スペースを小さくすることができ、電気式ヒータの搭載性を高めることができる。
以上、本発明によれば、側部ケース取付部分を厚み方向にコンパクトとした電気式ヒータを提供することができる。
【発明を実施するための最良の形態】
【００１３】
本発明の電気式ヒータは、発熱素子として、ＰＴＣ（Positive Temperature Coefficient）素子を用いることができる。ＰＴＣ素子は、特定の温度以上で急速に電気抵抗が増大する性質をもった素子で、そのため通電により発熱するが、発熱する温度が所定の温度を越えると電気抵抗が高くなりすぎて電流が殆ど流れなくなり、ある程度の温度異常に発熱することがない。よって、この素子を用いることでヒータの過熱を防ぐことができる。
【００１４】
本発明にかかる電気式ヒータにおいて、枠状フレームは発熱体の外周を保持するように組付ける。上記側部ケースは、発熱体に枠状フレームを組付けた組立体の側面に対し配置する。この場合、側部ケースの形態として、後述する図１に示す側部ケース２３のように、発熱体に枠状フレームを組付けた組立体の側面と略同形としたものがある。
また、後述する図１に示す側部ケース２４のように、上記組立体の側面より大型で、発熱体の積層方向に突出する鍔部を備えたものがある。
側部ケース２４の場合、鍔部の厚み等は電気式ヒータの厚みより厚いが、側部ケース２４が枠状フレームである側部フレームに取付けられた部分が出っ張っておらず、コンパクトな構成となっている（図２（ｂ）の図面右方参照）。
【００１５】
次に、上記枠状フレームは、上記発熱体の積層方向両端面に設けた第１及び第２保持フレームと、上記発熱体の両側面にそれぞれ設けた側部フレームとからなり、
各側部ケースは、上記側部フレームの側面外方から側部フレームごと上記発熱体の側面外方を覆うように設けてあると共に、上記第１及び第２保持フレームに係合することが好ましい（請求項２）。
枠状フレームを、第１、第２保持フレームと両側面にそれぞれ設けた一対の側部フレームとから構成することで、発熱体に対する各フレームの組付けを容易とすることができる。
更に、側部フレームの側面外方から側部ケースを設け、該側部ケースを第１及び第２保持フレームに係合することで、側部フレームの脱落を防止することができる。
【００１６】
次に、上記電気式ヒータにおいて、被加熱媒体の通過方向に沿った長さを厚みとすると、上記側部ケースの厚みｄ１は、該第１及び第２保持フレームの厚みｄ２と比較すると、ｄ１≦ｄ２であることが好ましい（請求項３）。
これにより、側部ケースを第１及び第２保持フレームに取り付けた際に、これらのフレームから側部ケースが厚み方向に飛び出さない。（ここで飛び出さないのは、側部ケースと各保持フレームとの接する部分である。側部ケースの中には図１に示すような鍔部を備えたものがあり、この鍔部は発熱体や各保持フレームから飛び出すように設けてある。）
このような構成にかかる電気式ヒータは、これをエアコンダクト等に挿入して用いる場合に、該エアコンダクトの開口部の取付スペースを小さくすることができるため、電気式ヒータの搭載性を高めることができる。
【００１７】
次に、上記第１及び第２保持フレームは、両側面に開口部を設けた筒型部材からなると共に、上記係合片と係合可能で、上記発熱体の両端面と両側面とによって張られた面に開口する係合穴を有し、
上記開口部に上記側部ケースの係合片を挿入して、上記第１及び第２保持フレームの内側面から上記係合片を上記係合穴に係合することが好ましい（請求項４）。
これにより、側部ケースと第１及び第２保持フレームとの係合を強固とすることができ、更に容易に側部ケースの係合片を第１及び第２保持フレームの内部に挿入することができる。
【実施例】
【００１８】
（実施例１）
本例にかかる電気式ヒータ１は、図１〜図１５に示すごとく、放熱フィン３２、通電により発熱する発熱素子３３０、該発熱素子３３０に電力を印加する電極板３１、第１及び第２絶縁体３９１、３９２を積層して構成した発熱体３を有し、該発熱体３の積層方向両端面３０１、３０２と該両端面３０１、３０２と交差する両側面３０３、３０４とによって張られた一方の面３０５から他方の面３０６に向かって被加熱媒体が上記放熱フィン３２の近傍を通過する構成である。
【００１９】
図１に示すごとく、上記発熱体３の外周に枠状フレームを設け、上記枠状フレームの両側面の外方にそれぞれ側部ケース２３、２４を設け、上記枠状フレームと対向する各側部ケース２３、２４の内側対向面２３０、２４８は、上記枠状フレームに向かって突出し、上記枠状フレームと係合する係合片２３５、２４５を有し、各側部ケース２３、２４の係合片２３５、２４５はそれぞれ上記枠状フレームの内部において係合する。
【００２０】
上記枠状フレームは、上記発熱体３の積層方向両端面に設けた第１及び第２保持フレーム２１、２２と、上記発熱体３の両側面３０３、３０４にそれぞれ設けた２つの側部フレーム１とからなる。
上記側部ケース２３は、左側の側部フレーム１の側面外方から上記側部フレーム１ごと上記発熱体３の側面外方を覆って設けてあり、上記第１及び第２保持フレーム２１、２２に係合する。側部ケース２４も右側の側部フレーム１の側面外方から同様に設けてある。
上記第１及び第２保持フレーム２１、２２は、両側面に開口部２１３、２１４、２２３、２２４を設けた筒型部材からなると共に、上記係合片２３５、２４５と係合可能で、上記発熱体３の両端面と両側面によって張られた面に向かって開口する係合穴２１７、２１８、２２７、２２８を有する。
上記開口部２１３、２１４、２２３、２２４に対し上記側部ケース２３、２４の係合片２３５、２４５を挿入し、上記第１及び第２保持フレーム２１、２２の内側面から上記係合片２３５、２４５を上記係合穴２１７、２１８、２２７、２２８に係合する。
【００２１】
以下、詳細に説明する。
本例の電気式ヒータ２は、図３に示すごとく、発熱素子３３０の熱が放熱フィン３２に伝導し、被加熱媒体（例えば空気等）が発熱体３の面３０５から面３０６に向かって通過する際に放熱フィン３２から熱を受け取り、被加熱媒体の温度が上昇する。
発熱体３は、図１〜図３に示すごとく、第１絶縁体３９１、電極板３１、放熱フィン３２、発熱素子３３０を保持した保持具３３、電極板３１、放熱フィン３２・・・放熱フィン３２、第２絶縁体３９２の順に積層し、５枚の電極板３１、５個の放熱フィン３２、４個の発熱素子３３０を保持する４個の保持具３３からなる。
発熱体３の左右の両側面３０３、３０４に側部フレーム１が配置され、該側部フレーム１の外方に側部ケース２３、２４を配置する。
【００２２】
放熱フィン３２は、図１、図２に示すごとく、２個のＬ字型枠３２１、３２２と薄い波型板３２０とからなり、２個のＬ字型枠３２１、３２２で囲まれた方形の空間に上記波型板３２０を収納してなる。Ｌ字型枠３２１、３２２と波型板３２０はろう付けで一体化する。ここでＬ字型枠３２１、３２２及び波型板３２０はそれぞれ共にアルミニウムよりなる。
【００２３】
発熱素子３３０はチタン酸バリウム磁器半導体のＰＴＣ素子からなる。
発熱素子３３０を保持する保持具３３は、図１、図５〜図７に示すごとく、本体部３３１と該本体部３３１の一方の側端から突出する側端突出部３３３と、他方の側端から突出し、後述する電極板３１に設けた接続端子３１１を案内する端子用突出部３３４とからなる。側端突出部３３３、端子用突出部３３４は本体部３３１よりも幅狭に構成する。本体部３３１の底面は発熱素子３００を保持する保持穴３３２を４個有する。
保持具３３は、図７に示すごとく断面がＨ型で、発熱体３の積層方向両面が溝型となっている。溝型の形状を利用して、積層方向に隣接する放熱フィン３２、電極板３１、保持具３３を保持して、面３０５や３０６の方向に飛び出さないようにすることができる。
電極板３１は、長細い平型金属板からなり、一方の端部に後述するメスターミナル２６１を接続可能な端子部３１１を有する。この電極板３１は黄銅からなる。
【００２４】
図１に示すごとく、第１絶縁体３９１は、発熱体３の最端に位置する電極板３１と第１保持フレーム２１との間を絶縁する。第２絶縁体３９２は、発熱体３の最端に位置する放熱フィン３２と第２保持フレーム２２との間を絶縁する。また、第１絶縁体３９１は電極板３１を保持可能な溝型である。第２絶縁体３９２は放熱フィン３２を保持可能な溝型である。
図１〜図３に示すごとく、第１及び第２保持フレーム２１、２２は断面四角形の中空の筒型部材で、発熱体３の側面３０３に向かう開口部２１３、２２３と側面３０４に向かう開口部２１４、２２４を有し、後述する側部ケース２３、２４の係合片２３５、２４５と係合する係合穴２１７、２１８、２２７、２２８を長手方向両端に有する。
【００２５】
また、本例の枠状フレームを構成する側部フレーム１は、図４に示すごとく、断面略コ字状で、第１及び第２固定片１１、１２と環状の支持部１０とからなる。第１固定片１１は、基端部１１１及び先端部１１３、また両者の間の断面Ｖ字状の屈曲部１１２からなる。第２固定片１２も同様に、基端部１２１及び先端部１２３、また両者の間の断面Ｖ字状の屈曲部１２２からなる。
側部フレーム１は、ばね鋼であるＳＫ５から構成され、部材全体がばねとして機能する。
上記基端部１１１、１２１は、支持部１０の両端から緩やかなカーブ状に延び、先端部１１３、１２３は直線状に延びた部材である。基端部１１１、１２１と先端部１１３、１２３との境界で、第１、第２固定片１１、１２はく字状に折れ曲がり、この折れ曲がりの部分が曲折部１１２、１２２である。
【００２６】
上記側部フレーム１の外方に配置し、６６ナイロンからなる側部ケース２３、２４について説明する。
図１の左方に位置する側部ケース２３は、図８〜図１０に示すごとく、側面形状が長方形で、内側対向面２３０に側部フレーム１側に延びる係合片２３５を４個有し、該係合片２３５は第１、第２保持フレーム２１、２２の図面左方に位置する係合穴２１７、２２７と係合する。
上記係合片２３５は、本体片２３６と該本体片２３６の先端に突出形成された爪部２３７とからなる。爪部２３７はフック状で、このフックの部分で各係合穴２１７、２２７と係合する。また、第１、第２保持フレーム２１、２２は図３に示した面３０６側にも係合穴を有するが、図面から見えない位置にあるため、記載を省略する。
【００２７】
また、図２（ｂ）に示すごとく、電気式ヒータ２において、被加熱媒体の通過方向に沿った長さを厚みとすると、側部ケース２３の厚みｄ１は、発熱体３に枠状ケースである第１及び第２保持フレーム２１、２２と側部フレーム１を組付けてなる組立体の厚みより薄い。
ここに組立体の厚みで最も厚い部分は、第１保持フレーム２１の厚みｄ２であり、本例にかかる電気式ヒータ２ではｄ１＜ｄ２である。
【００２８】
図１の右方の側部ケース２４は、図１１〜図１３に示すごとく、本体部２４２と、該本体部２４２から外方に向かって張り出した鍔部２４１を有し、内側対向面２４８に側部フレーム１側に延びる係合片２４５を４個有し、また内側対向面２４８には、側部ケース２４を貫通し、上記電極板３１の端子部３１１を挿入して、これを外部に引き出す挿入溝２４９を有する。また、発熱体３の外方側に上記端子部３１１と接続するメスターミナル２６１を挿入するターミナル用スリット２４０を有する。
上記係合片２４５は、本体片２４６と該本体片２４６の先端で突出形成された爪部２４７とからなる。爪部２４７はフック状で、このフックの部分で各係合穴２１８、２２８に係合する。この係合した際に、鍔部２４１は発熱体３や第１及び第２保持フレーム２１、２２の表面から大きく張り出すが、本体部２４２は第１及び第２保持フレーム２１、２２の表面から飛び出さない形となる。
更に、上記メスターミナル２６１を挿入すると共に上記側部ケース２４の外方から被せてメスターミナル２６１を保護収納する保護ケース２５を有する。
メスターミナル２６１から延びるリード線２６２は、電気式ヒータ２の外部電源（図示略）に接続するソケット２６３、２６４を有する。
【００２９】
本例の電気式ヒータ２の組立てについて説明する。
発熱素子３３０を保持具３３に組込み、図１に示すごとく、第１絶縁体３９１、電極板３１、放熱フィン３２、発熱素子３３０を保持した保持具３３、電極板３１、放熱フィン３２・・・放熱フィン３２、第２絶縁体３９２の順に積層する。
この時、保持具３３、第１、第２絶縁体３９１、３９２が溝型に構成されていることから、上記保持具３３や第１、第２絶縁体３９１、３９２が隣接する放熱フィン３２や電極板３１を保持して、発熱体３の積層状態を安定させることができる。
次に、図１４（ａ）、（ｂ）に示すごとく、第１及び第２保持フレーム２１、２２の発熱体３側の内側面２１９、２２９間の距離Ｌ１よりも、屈曲部１１２、１２２の距離Ｌ０が大きくなるように側部フレーム１を変形させる。
【００３０】
図１４（ｂ）に示すごとく、変形した側部フレーム１の第１及び第２固定片１１、１２を発熱体３の側面３０３、３０４側から第１及び第２保持フレーム２１、２２の開口部２１３、２１４、２２３、２２４に差し込む。側部フレーム１は、自由状態では、（屈曲部１１２、２２２の距離Ｌ０）＜（内側面２１９、２２９間の距離Ｌ１）であり、従って、図１４（ｃ）に示すごとく、屈曲部１１２、１２２が内側面２１９、２２９と当接しつつ、積層方向内側への圧縮力が内側面２１９、２２９に作用し、側部フレーム１を第１、第２保持フレーム２１、２２に固定する。
【００３１】
次に、図１５に示すごとく、上記側部フレーム１の外方から、側部ケース２３、２４を被冠する。この時、側部ケース２３の係合片２３５を第１、第２保持フレーム２１、２２の開口部２１３、２２３に挿入し、内部から上記係合片２３５の爪部２３７を係合穴２１７、２２７にはめ込んで係合する。
また、側部ケース２４の係合片２４５も同様に開口部２１４、２２４に挿入し、内部から爪部２４７を係合穴２１８、２２８にはめ込んで係合する。
その後、側部ケース２４の外方に保護ケース２５を被冠する。この時、側部ケース２４のターミナル用スリット２４０に、電極板３１の端子部３１１を挿入し、該端子部３１１を側部ケース２４及び保護ケース２５との間でメスターミナル２６１と固定する。
【００３２】
本例の作用効果について説明する。
本例にかかる電気式ヒータ２は、発熱体３の外周に設けた枠状フレームを構成する第１、第２保持フレーム２１、２２の側面外方から側部ケース２３，２４を設け、両者に対して係合片２３５，２４５と係合穴２１７、２１８、２２７，２２８を用いた係合を行う。この時、図１、図２に示すごとく、第１及び第２保持フレーム２１、２２の内部に係合片２３５、２４５を導入して、内部で係合を行うものである。
【００３３】
従来技術として記載した図１６に示すごとく、側部ケースの内側に枠状フレームを収納するよう被せた構成の電気式ヒータは、側部ケースが枠状フレームの表面等から外方に飛び出してしまう。
従来技術と対照的に、本例にかかる電気式ヒータ２は、図１、図２に示すごとく、側部ケース２３、２４に設けた係合片２３５、２４５を枠状フレームを構成する第１、第２保持フレーム２１、２２の内部に導入し、内部で第１、第２保持フレーム２１、２２と係合する構成である。
そのため、第１及び第２保持フレーム２１、２２の表面等から飛び出したり、出っ張ったりすることがない側部ケース２３を得ることができる。
また、本体部２４２から張り出した鍔部２４１を備えた側部ケース２４についても、本体部２４２に関しては、第１及び第２保持フレーム２１、２２から飛び出すことのないよう構成することができる。
そのため、従来構成と比較して、側部ケース２３、２４の取付位置近傍が厚み方向にコンパクトとなる電気式ヒータ２を得ることができ、これにより、電気式ヒータ２を挿入する相手となるエアコンダクト等の開口部の取付スペースを小さくすることができ、電気式ヒータ２の搭載性を高めることができる。
以上、本例によれば、側部ケース取付部分を厚み方向にコンパクトとした電気式ヒータを提供することができる。
【００３４】
更に、側部ケース２３，２４を、側部フレーム１の側面外方から側部フレーム１ごと発熱体３の側面外方を覆うよう設けて、第１、第２保持フレーム２１、２２に係合することで、該側部ケース２３，２４が側部フレーム１の脱落を防止することができる。
更に、第１、第２保持フレーム２１、２２の開口部２１３、２１４、２２３、２２４に対し側部ケース２３、２４の係合片２３５、２４５を挿入し、内側対向面から係合片２３５、２４５を係合穴２１７、２２７、２１８、２２８に係合して、側部ケース２３、２４と第１、第２保持フレーム２１、２２との係合をより強固とすることができる。
【図面の簡単な説明】
【００３５】
【図１】実施例１にかかる、電気式ヒータの斜視展開図。
【図２】実施例１にかかる、電気式ヒータの平面図。
【図３】実施例１にかかる、発熱体の模式図。
【図４】実施例１にかかる、側部フレームの斜視図。
【図５】実施例１にかかる、保持具と発熱素子との説明図。
【図６】実施例１にかかる、保持具の平面図。
【図７】実施例１にかかる、保持具の断面図。
【図８】実施例１にかかる、ケースの側面図。
【図９】実施例１にかかる、ケースの内側対向面の平面図。
【図１０】実施例１にかかる、ケースの係合片を示す平面図。
【図１１】実施例１にかかる、ケースの側面図。
【図１２】実施例１にかかる、ケースの内側対向面の平面図。
【図１３】実施例１にかかる、ケースの係合片を示す平面図。
【図１４】実施例１にかかる、側部フレームを組み付ける際の説明図。
【図１５】実施例１にかかる、ケースを組み付ける際の説明図。
【図１６】従来にかかる、電気式ヒータの説明図。
【図１７】従来にかかる、第１保持フレームの説明図。
【図１８】従来にかかる、第１保持フレームの断面説明図（図１７にかかるＡ−Ａ矢視断面図）。
【図１９】従来にかかる、電気式ヒータの要部説明図。
【符号の説明】
【００３６】
１  側部フレーム
２  電気式ヒータ
２１  第１保持フレーム
２１３、２１４、２２３、２２４  開口部
２１７、２１８、２２７、２２８  係合穴
２２  第２保持フレーム
２３、２４  側部ケース
２３５、２４５  係合片
３  発熱体
３１  電極板
３２  放熱フィン
３３０  発熱素子
【図１】
2005085698.tif 000003
【図２】
2005085698.tif 000004
【図３】
2005085698.tif 000005
【図４】
2005085698.tif 000006
【図５】
2005085698.tif 000007
【図６】
2005085698.tif 000008
【図７】
2005085698.tif 000009
【図８】
2005085698.tif 000010
【図９】
2005085698.tif 000011
【図１０】
2005085698.tif 000012
【図１１】
2005085698.tif 000013
【図１２】
2005085698.tif 000014
【図１３】
2005085698.tif 000015
【図１４】
2005085698.tif 000016
【図１５】
2005085698.tif 000017
【図１６】
2005085698.tif 000018
【図１７】
2005085698.tif 000019
【図１８】
2005085698.tif 000020
【図１９】
2005085698.tif 000021